(57)【要約】      （修正有）【課題】戸建住宅の建築にあたり、外壁材として窯業サイディングを使用するとき、使い勝手の要請と現場の美化の要請を調整し、サイディングの切断及び加工に伴って生じた端材を廃材として回収しかつ廃棄するための、サイディング廃材を保管する箱型の形状に組成された包材を提供する。【解決手段】サイディング廃材を積み重ねる底面部の周囲に接続して、前面部３、後面部６及びこれに隣接する蓋部７、左側面部４及び右側面部５を配置し、また、サイディング廃材を搬入するときには展開し、かつ、一定量となった廃材を固定するときには閉鎖するために、左側面部及び右側面部から切り離して開閉自在な前面部と蓋部とした、サイディング廃材を保管する箱型の形状に組成された構成からなる。【選択図】図１
0003188533.tif 000002
【実用新案登録請求の範囲】
【請求項１】
戸建住宅の建築に外壁材として窯業サイディングを使用する場合、サイディングの切断及び加工に伴って生ずる端材を廃材として回収しかつ廃棄するために、サイディング廃材を横に積重ねる底面部の周囲に接続して、前面部、後面部及びこれに連続する蓋部、左側面部及び右側面部を配置した、サイディング廃材を保管する箱型の形状に組成された包材。
【請求項２】
サイディング廃材を搬入するときには展開し、また、一定量になったサイディング廃材を固定するときには閉鎖するために、左側面部及び右側面部から切離して開閉自在にした前面部と蓋部を特徴とする、請求項１のサイディング廃材を保管する箱型の形状に組成された包材。
【請求項３】
サイディング廃材を保管する包材を堅固にするために備置された紐、また、クレーン移動するために備置した吊りベルトを特徴とする、請求項１のサイディング廃材を保管する箱型の形状に組成された包材。
【考案の詳細な説明】
【技術分野】
【０００１】  この考案は、戸建住宅の建築において、外壁材として使用する窯業サイディングの廃材を回収及び廃棄するために、廃材を保管する包材に関するものである。
【背景技術】
【０００２】  戸建住宅の外壁工事を施工するにあたり、外壁材の材料は、約７〜８の割合で窯業サイディングである。それは、セメントと木質系成分の混合物からなり、耐水や耐天候性に優れたものだからである。【０００３】  建築現場でサイディングを外壁材として使用する場合、サイディングの切断又は加工に伴って、切れ端、即ち、端材が生ずる。そこで、この端材を廃材として回収及び廃棄する必要が起こる。【０００４】  サイディング廃材は、産業廃棄物である。廃棄物の処理及び清掃に関する法律、所謂、廃棄物処理法は、建設工事に関し、発注者から直接に請負った元請業者を排出事業者と定め、産業廃棄物の処理責任を認める（２１条の３▲１▼）。【０００５】  サイディングの切断及び加工から回収に至るまでの間、廃材の整理や管理をするのは、実際上、外壁業者となる。外壁業者の排出する産業廃棄物は多量であり、また、狭小な建築現場では、廃材を保管する場所を確保するのも困難となる。【０００６】  そこで、外壁業者は、サイディング廃材を円滑に回収及び廃棄するために、廃材の保管場所を確保する必要がある。建設業界では、最近、現場全体の美化とゴミの削減を求める意識が高まり、また、厳格化の傾向にある。【０００７】  サイディング廃材を産業廃棄物として回収及び廃棄するために、廃材を保管する方策としては、現在、二つのものがある。【０００８】  一つは、包装資材、即ち、包材として袋状のものを使用することである。フレキシブルコンテナバック、所謂、フレコンバックという大型の袋と、ガラ袋という小さな土嚢袋である。【０００９】  フレコンバックには、袋全体を支える丈夫な吊りベルトが備置されているので、フォークリフトやクレーンで持ち上げて移動させることができる。サイディング廃材を回収するためには便利である。【００１０】  しかし、サイディング廃材は、サイディングの平板形状に対応して、角の有る平板形状の端材となる。廃材の保管のためには、大型のフレコンバックにしても、小型のガラ袋にしても、袋ものは適性がない。【００１１】  フレコンバックは、戸建住宅の現場には狭小地が多いので、置き場所に無理がある。ガラ袋は、袋の転倒、廃材のはみ出し、袋の突出等の難点があり、かつ、小型であるために、乱雑な置き方になりやすく、現場の美化にも適さない。【００１２】  二つは、余裕のある建築現場においては、サイディングの廃材、特に大きな端材をそのまま横に積み上げるのが一般的である。通常、崩れないように、整理して積み上げるので、美観や整理にも適する。【００１３】  しかし、戸建住宅の建築現場には、必ずしも、フォークリフトを常備するわけではない。回収業者がサイディング廃材をトラックに移動させるためには、手積みの対応をとることになる。労力を要するので、効率的な回収ではない。
【考案の開示】
【考案が解決しようとする課題】
【００１４】  この考案が解決しようする問題点は、次の通りである。【００１５】  先ず、戸建住宅の建築現場において、サイディング廃材を捨てる側の施工業者は使い勝手を求め、また、廃材を整理する元請業者は現場美化を求めるので、現場の美化と使い勝手という二つの要請を調整する必要がある。【００１６】  次に、現場の美化の要請からみると、サイディング廃材を回収及び廃棄するにあたり、この廃材を袋物で保管するとき、サイディング廃材は、元来の形状に対応して、角のある平板形状となるので、袋物には適性がない。【００１７】  最後に、使い勝手の要請からみると、サイディング廃材を回収及び廃棄するにあたり、この廃材を横に積み上げるのでは、回収業者の作業を手積みの対応とするので、回収作業の効率を害する。
【課題を解決するための手段】
【００１８】  この考案が解決する手段は、次の通りである。【００１９】  先ず、戸建住宅の建築において、外壁材として窯業サイディングを使用する場合、サイディングの切断又は加工に伴って生ずる端材を廃材として回収及び廃棄するために、廃材を保管する包材（１）である。【００２０】  次に、サイディング廃材を横に積重ねる底面部（２）の周囲に接続して、前面部（３）、後面部（６）及びこれに連続する蓋部（７）、左側面部（４）及び右側面部（５）を配置した、箱型の形状に組成された包材（１）である。【００２１】  更に、サイディング廃材を搬入するときには展開し、また、一定量になった廃材を固定するときには閉鎖するために、左側面部（４）及び右側面部（５）から切離して開閉自在の前面部（３）と蓋部（７）にした、箱型の形状に組成された包材（１）である。【００２２】  最後に、サイディング廃材の保管を堅固にするために紐（８）を備置し、また、クレーン移動するために吊りベルト（９）を備置した、箱型の形状に組成された包材（１）である。
【考案を実施するための形態】
【００２３】  この考案の実施の形態は、次の通りである。
【００２４】  先ず、図１に示すように、サイディング廃材を保管する包材（１）である。戸建住宅の建築において、外壁材として窯業サイディングを使用するとき、サイディングの切断又は加工に伴って生じた端材を廃材として回収及び廃棄するためである。
【００２５】  包材（１）は、１トン程度の重量物になるサイディング廃材を保管し又は運搬する。したがって、フレコンバックと同様に、ポリプロピレン・ポリエチレン等の丈夫で柔軟な素材からなる必要がある。
【００２６】  次に、図１及び図２に示すように、箱型の形状に組成された包材（１）である。サイディング廃材を横に積重ねる底面部（２）の周囲に接続して、前面部（３）、後面部（６）及びこれに連続する蓋部（７）、左側面部（４）及び右側面部（５）を配置している。
【００２７】  サイディング廃材は、平板状のサイディングの標準に対応して、切断又は加工を受けても、角型の形状を有する。したがって、サイディング廃材を保管する包材（１）も箱型の形状に組成されるのが適当である。
【００２８】  更に、図１及び図２に示すように、箱型の形状に組成された包材（１）について、前面部（３）と蓋部（７）を開閉自在としたものである。前面部（３）と蓋部（７）は、左側面部（４）及び右側面部（５）から切離して、展開し、かつ、閉鎖できる構成となっている。
【００２９】  開放されている前方と上方から、サイディング廃材の搬入を容易にし、底面部（２）に横に積重ねて行き、また、後面部（６）と左側面部（４）及び右側面部（５）の高さに迫った廃材を固定するために、前面部（３）と蓋部（７）を閉鎖する。
【００３０】  最後に、図１及び図２に示すように、箱型の形状に組成された包材（１）を堅固にし、かつ、クレーン移動するために、紐（８）と吊りベルト（９）を備置する。
【００３１】  紐（８）は、左側面部（４）及び右側面部（５）の外側と吊りベルト（９）の脇に備置する。吊りベルト（９）は、円輪状のベルトを平行にして掛け渡した前面部（３）と後面部（６）からそれぞれ延びて二つの吊り輪となったものである。
【考案の効果】
【００３２】  この考案の効果は、次の通りである。
【００３３】  先ず、サイディング廃材を袋状のものに保管しないので、整理や美観上の難点も起こらないし、また、この廃材を保管した包材を吊り上げるので、回収の効率もよい。したがって、現場の美化と使い勝手の課題を解決する。
【００３４】  次に、袋状のものとは異なり、開放的であるので、ゴミの分別を容易にする。空き缶、弁当箱等、木屑、ビニール等の産業廃棄物の混入を避け、サイディング廃材だけを保管できる。したがって、サイディング廃材のリサイクル回収を推進する。
【図面の簡単な説明】
【００３５】
【図１】  この考案に係る箱型の形状を組成する包材の使用状態を示す図面である。
【図２】  この考案に係る箱型を組成する包材にサイディング廃材を保管しかつ移動させる状態を示す図面である。
【符号の説明】
【００３６】    １  包材
２  底面部
３  前面部
４  左側面部
５  右側面部
６  後面部
７  蓋部
８  紐
９  吊りベルト
【実施例】
【００３７】  この考案の実施例は、次の通りである。【００３８】  この考案は、戸建住宅の建築にあたり、外壁材として使用する窯業サイディングの廃材を回収及び廃棄するために、サイディング廃材を保管する箱型に組成された包材（１）に関するものである。【００３９】  第一に、戸建住宅の建築にあたり、外壁材として窯業サイディングを使用するとき、サイディングの切断又は加工に伴って生ずる端材を廃材として回収及び廃棄するために、廃材を保管する包材（１）を必要とする。【００４０】  窯業サイディングは、寸法４５５ｍｍ×３０３０ｍｍ、厚さ１６ｍｍ、一枚の重量２４ｋｇを標準とする。戸建住宅の外壁材としてサイディングを施工するとき、サイディングの切断又は加工に伴って生じた端材を廃材として回収及び廃棄する必要がある。【００４１】  サイディング廃材は、産業廃棄物である。廃棄物処理法においては、元請業者による処理責任を認めている。サイディングの切断又は加工から回収に至るまで、廃材を整理及び管理するのは、実際上、外壁業者となる。【００４２】  そうすると、外壁業者は、サイディングの廃材を産業廃棄物として回収及び廃棄するためには、戸建住宅の建築現場において、サイディング廃材を保管する包材（１）を設置することが必要となる。【００４３】  サイディング廃材を保管する場所を建築現場に確保できないとき、例えば、足場の下にある余地をゴミ置き場とするしかないような超狭小な現場の場合、この包材（１）の利用は不適当である。【００４４】  第二に、サイディング廃材を保管する包材（１）は、建築現場において、外壁業者にとって利用しやすくかつ現場の美化ともなるために、箱型の形状に組成され、また、前面部（３）と蓋部（７）の開閉を自在としたものである。【００４５】  この包材（１）は、サイディング廃材は、多量に排出されるので、１トン程度の重量物ともなるので、フレコンバックと同じく、ポリプロピレン・ポリエチレン等の丈夫でかつ柔軟な素材を適当とする。【００４６】  この包材（１）は、サイディング廃材が、平板状のサイディングに対応して、切断又は加工を受けても、角型の形状をした端材となるので、この包材（１）は、サイディング廃材を保管するためにも箱型の形状に組成されたものを適当とする。【００４７】  そうすると、この包材は、サイディング廃材を横に積み重ねる底面部（２）を中心として、この周囲に接続する前面部（３）、後面部（６）及びこれに連続する蓋部（７）、左側面部（４）及び右側面部（５）から組成される箱型の形状をしたものである。【００４８】  底面部（２）は、サイディング廃材の平均的な大きさに基づいたものである。１棟から排出する廃材の大きさと分量を標準として考慮すると、９１０〜９５０ｍｍ×４５５ｍｍ四方の規模といってよい。【００４９】  ところが、箱型の形状の包材（１）であれば、外壁業者が底面部（２）にサイディングを搬入し、かつ、積み重ねて行くにために不便を来たし、また、空き缶・弁当箱等、木屑、ビニール等の別の産業廃棄物の混入を避けることができない。【００５０】  そこで、前面部（３）と蓋部（７）を開閉自在の仕組みとする。前面部（３）と蓋部（７）を左側面部（４）及び右側面部（５）から切り離���て展開し、サイディング廃材の搬入を容易にし、廃材を底面部（２）に横に積み重ねて、廃材を保管する。【００５１】  第三に、サイディング廃材を保管する包材は、廃材で一杯になったとき、前面部（３）と蓋部（７）を閉めて、かつ、それぞれの紐（８）を結び合わせ、また、この包材（１）を吊りベルト（９）に掛けてクレーンで移動させて廃棄する。【００５２】  左側面部（４）及び右側面部（５）の外側と吊りベルト（９）の脇には、それぞれ紐（８）を備置する。円輪状のベルトを平行にして掛け渡した前面部及び後面部からそれぞれ延ばして吊りベルト（９）として備置する。【００５３】  サイディング廃材を底面部（２）に積み重ねて行き、後面部（６）と左側面部（４）及び右側面部（５）の高さ、約、１〜１．５ｍに達すると、前面部（３）と蓋部（７）を閉鎖し、それぞれの紐（８）を結び合わせ、かつ、吊りベルト（９）を合わせる。【００５４】  この包材（１）をユニック車のクレーンで吊り上げて移動させて廃棄する。したがって、ユニック車のクレーンで吊り上げられない位置のとき、例えば、道路から離れた奥まった現場、高台現場等では、この包材（１）を利用することができない。
【図１】
0003188533.tif 000003
【図２】
0003188533.tif 000004